(57)【特許請求の範囲】
【請求項１】
表示領域にセグメント電極が列方向に延びて設けられていると共に表示領域の列方向の外側にセグメント配線が前記セグメント電極に接続されて設けられたセグメント基板と、表示領域にコモン電極が行方向に延びて設けられていると共に表示領域の行方向の外側にコモン配線が前記コモン電極に接続されて設けられたコモン基板とを備え、前記コモン基板の所定の一辺部が前記セグメント基板の一辺から突出され、該突出部上にセグメント端子及びコモン端子が設けられ、前記セグメント端子が前記セグメント配線にトランスファを介して接続された表示パネルと、前記コモン基板の突出部上に前記コモン配線及び前記コモン端子に接続されて搭載されたコモン駆動用の半導体チップと、前記セグメント端子及び前記コモン端子に一端部が接続されたフレキシブル配線基板と、前記フレキシブル配線基板に搭載されたセグメント駆動用の半導体チップとを具備することを特徴とする表示装置。
【請求項２】
請求項１記載の発明において、前記コモン配線の配置領域の行方向の最大幅は前記コモン端子の配置領域の行方向の大きさとほぼ同じかそれに近い値となっていることを特徴とする表示パネル。
【請求項３】
表示領域にセグメント電極が列方向に延びて設けられていると共に表示領域の列方向の外側にセグメント配線が前記セグメント電極に接続されて設けられたセグメント基板と、表示領域にコモン電極が行方向に延びて設けられていると共に表示領域の行方向の外側にコモン配線が前記コモン電極に接続されて設けられたコモン基板とを備え、前記コモン基板の所定の一辺部が前記セグメント基板の一辺から突出され、該突出部上にセグメント端子及びコモン端子が設けられ、前記セグメント端子が前記セグメント配線にトランスファを介して接続されてなる表示パネルと、前記コモン基板の突出部上に前記コモン配線及び前記コモン端子に接続されて搭載されたコモン駆動用の半導体チップと、前記セグメント端子に一端部が接続されたセグメント用のフレキシブル配線基板と、前記コモン端子に一端部が接続されたコモン用のフレキシブル配線基板とを具備することを特徴とする表示装置。
【請求項４】
請求項３記載の発明において、前記コモン配線の配置領域の行方向の最大幅は前記コモン端子の配置領域の行方向の大きさとほぼ同じかそれに近い値となっていることを特徴とする表示装置。
【請求項５】
請求項３または請求項４記載の発明において、前記セグメント用のフレキシブル配線基板にセグメント駆動用の半導体チップが搭載されていることを特徴とする表示装置。
【発明の詳細な説明】
【０００１】
【発明の属する技術分野】
この発明は表示パネル及びそれを備えた表示装置に関する。
【０００２】
【従来の技術】
例えば、液晶表示装置には、液晶表示パネルとこの液晶表示パネルに表示信号を供給する回路基板とをフレキシブル配線基板を介して接続したものがある。図３は従来のこのような液晶表示装置の一例の一部の平面図を示したものである。この液晶表示装置における液晶表示パネル１は、下側のセグメント基板２と上側のコモン基板３とが互いに貼り合わされ、その間に液晶（図示せず）が封入されたものからなっている。この場合、セグメント基板２の下辺部はコモン基板３の下辺から突出され、この突出部２ａの上面の右側にはセグメント駆動用の半導体チップ４が搭載され、同上面の左側にはコモン駆動用の半導体チップ５が搭載されている。
【０００３】
セグメント基板２の上面中央部の一点鎖線で囲まれた表示領域６には複数のセグメント電極７が列方向に延びて設けられている。セグメント電極７の下端部は、セグメント基板２の上面の表示領域６の下側に設けられたセグメント配線８を介して半導体チップ４の出力側バンプ電極（図示せず）に接続されている。
【０００４】
コモン基板３の下面中央部の一点鎖線で囲まれた表示領域６には複数のコモン電極９が行方向に延びて設けられている。コモン電極９の左端部は、コモン基板３の下面の表示領域６の左側に設けられたコモン配線１０、両基板２、３間の所定の箇所に設けられたトランスファ１１及びセグメント基板２の上面の所定の箇所に設けられたコモン配線１２を介して半導体チップ５の出力側バンプ電極（図示せず）に接続されている。
【０００５】
一方、この液晶表示装置におけるほぼＴ字状のフレキシブル配線基板２１の下面の右側にはセグメント配線２２が設けられ、同下面の左側にはコモン配線２３が設けられている。この場合、セグメント配線２２及びコモン配線２３の各一端部は出力側接続端子２４、２５となっており、各他端部は入力側接続端子２６、２７となっている。
【０００６】
そして、フレキシブル配線基板２１のセグメント用の出力側接続端子２４は、液晶表示パネル１の突出部２ａの上面の右側の所定の箇所に設けられたセグメント端子（図示せず）に異方導電性接着剤（図示せず）を介して接続されている。セグメント端子は半導体チップ４の入力側バンプ電極（図示せず）に接続されている。フレキシブル配線基板２１のコモン用の出力側接続端子２５は、液晶表示パネル１の突出部２ａの上面の左側の所定の箇所に設けられたコモン端子（図示せず）に異方導電性接着剤（図示せず）を介して接続されている。コモン端子は半導体チップ５の入力側バンプ電極（図示せず）に接続されている。フレキシブル配線基板２１の入力側接続端子２６、２７は図示しない回路基板に接続されるようになっている。
【０００７】
ところで、従来のこのような液晶表示装置では、特に、コモン駆動用の半導体チップ５の出力側バンプ電極のピッチが数１０〜１００μｍ程度と比較的小さいのに対し、トランスファ１１のピッチが２００〜３００μｍ程度と比較的大きいので、半導体チップ５の出力側バンプ電極とトランスファ１１とを接続するためのコモン配線１２の配置領域が列方向にある程度必要となり、突出部２ａの突出長が大きくなってしまう。
【０００８】
また、表示領域６の左側におけるコモン配線１０のピッチはトランスファ１１のピッチ（２００〜３００μｍ程度）よりも小さく例えば１００μｍ前後であるので、表示領域６の左側におけるコモン配線１０とトランスファ１１とを接続するための、表示領域６の左下側におけるコモン配線１０の配置領域が列方向にある程度必要となり、コモン基板３の列方向のサイズが大きくなってしまう。以上の結果、液晶表示パネル１の列方向のサイズが大きくなってしまうという問題があった。なお、セグメント配線８の場合も、半導体チップ４の出力側バンプ電極に接続された部分におけるピッチが比較的小さいので、その配置領域として列方向にある程度必要であるが、表示領域６の左下側におけるコモン配線１０の配置領域を列方向にある程度大きくすると、セグメント配線８の配置領域を確保することができる。
【０００９】
次に、従来のこのような液晶表示装置の他の例について図４を参照して説明する。この液晶表示装置では、セグメント駆動用の半導体チップ４はセグメント用のフレキシブル配線基板（ＴＣＰ(tape carrier package)）３１に搭載され、コモン駆動用の半導体チップ５はコモン用のフレキシブル配線基板（ＴＣＰ）３２に搭載されている。そして、簡単に説明すると、両フレキシブル配線基板３１、３２の各一端部は液晶表示パネル１の突出部２ａ上に設けられたセグメント端子３３及びコモン端子３４に異方性導電接着剤（図示せず）を介して接続されている。この場合、半導体チップ４、５を液晶表示パネル１の突出部２ａ上に搭載していないので、突出部２ａの突出長を図３に示す場合よりも小さくすることができる。
【００１０】
【発明が解決しようとする課題】
しかしながら、図４に示す従来の液晶表示装置でも、表示領域６の左側におけるコモン配線１０とトランスファ１１とを接続するための、表示領域６の左下側におけるコモン配線１０の配置領域が列方向にある程度必要であり、依然として、液晶表示パネル１の列方向のサイズが大きくなってしまうという問題があった。
この発明の課題は、表示パネルの列方向のサイズを小さくすることである。
【００１１】
【課題を解決するための手段】
請求項１記載の発明に係る表示装置は、表示領域にセグメント電極が列方向に延びて設けられていると共に表示領域の列方向の外側にセグメント配線が前記セグメント電極に接続されて設けられたセグメント基板と、表示領域にコモン電極が行方向に延びて設けられていると共に表示領域の行方向の外側にコモン配線が前記コモン電極に接続されて設けられたコモン基板とを備え、前記コモン基板の所定の一辺部が前記セグメント基板の一辺から突出され、該突出部上にセグメント端子及びコモン端子が設けられ、前記セグメント端子が前記セグメント配線にトランスファを介して接続された表示パネルと、前記コモン基板の突出部上に前記コモン配線及び前記コモン端子に接続されて搭載されたコモン駆動用の半導体チップと、前記セグメント端子及び前記コモン端子に一端部が接続されたフレキシブル配線基板と、前記フレキシブル配線基板に搭載されたセグメント駆動用の半導体チップとを具備することを特徴とするものである。
請求項２記載の発明に係る表示パネルは、請求項１記載の発明において、前記コモン配線の配置領域の行方向の最大幅を前記コモン端子の配置領域の行方向の大きさとほぼ同じかそれに近い値としたものである。
請求項３記載の発明に係る表示装置は、表示領域にセグメント電極が列方向に延びて設けられていると共に表示領域の列方向の外側にセグメント配線が前記セグメント電極に接続されて設けられたセグメント基板と、表示領域にコモン電極が行方向に延びて設けられていると共に表示領域の行方向の外側にコモン配線が前記コモン電極に接続されて設けられたコモン基板とを備え、前記コモン基板の所定の一辺部が前記セグメント基板の一辺から突出され、該突出部上にセグメント端子及びコモン端子が設けられ、前記セグメント端子が前記セグメント配線にトランスファを介して接続されてなる表示パネルと、前記コモン基板の突出部上に前記コモン配線及び前記コモン端子に接続されて搭載されたコモン駆動用の半導体チップと、前記セグメント端子に一端部が接続されたセグメント用のフレキシブル配線基板と、前記コモン端子に一端部が接続されたコモン用のフレキシブル配線基板とを具備することを特徴とするものである。
請求項４記載の発明に係る表示装置は、請求項１記載の発明において、前記コモン配線の配置領域の行方向の最大幅を前記コモン端子の配置領域の行方向の大きさとほぼ同じかそれに近い値としたものである。
請求項１記載の発明によれば、コモン基板の突出部上に設けたセグメント端子をセグメント基板に設けたセグメント配線にトランスファを介して接続した表示パネルと、この表示パネルの前記コモン基板の突出部上に前記コモン配線及び前記コモン端子に接続されて搭載されたコモン駆動用の半導体チップと、前記セグメント端子及び前記コモン端子に一端部が接続されたフレキシブル配線基板と、前記フレキシブル配線基板に搭載されたセグメント駆動用の半導体チップとを備えているので、セグメント配線のトランスファの近傍におけるピッチをトランスファのピッチと同じで比較的大きくすることができ、またコモン配線のピッチを大きくする必要がなくなり、セグメント配線の列方向への配置領域及びコモン配線の列方向への配置領域を比較的小さくすることができる。
請求項３記載の発明によれば、コモン基板の突出部上に設けたセグメント端子をセグメント基板に設けたセグメント配線にトランスファを介して接続した表示パネルと、この表示パネルの前記コモン基板の突出部上にコモン配線及びコモン端子に接続させて搭載したコモン駆動用の半導体チップと、前記セグメント端子に一端部が接続されたセグメント用のフレキシブル配線基板と、前記コモン端子に一端部が接続されたコモン用のフレキシブル配線基板とを備えているので、セグメント配線の列方向への配置領域を小さくすることができ、またコモン配線のピッチを無理に大きくする必要はなく、コモン配線の配置領域の行方向の最大幅をコモン端子の配置領域の行方向の大きさとほぼ同じかそれに近い値とすることができ、ひいてはコモン配線の列方向への配置領域を比較的小さくすることができる。
以上のことから、この発明によれば、表示パネルの列方向のサイズを小さくすることができる。
【００１２】
【発明の実施の形態】
図１はこの発明の一実施形態における液晶表示装置の要部の平面図を示したものである。この液晶表示装置における液晶表示パネル４１は、上側のセグメント基板４２と下側のコモン基板４３とが互いに貼り合わされ、その間に液晶（図示せず）が封入されたものからなっている。この場合、コモン基板４３の下辺部はセグメント基板４２の下辺から突出され、この突出部４３ａの上面の左側にはコモン駆動用の半導体チップ４４が搭載されている。
【００１３】
セグメント基板４２の下面中央部の一点鎖線で囲まれた表示領域４５には複数のセグメント電極４６が列方向に延びて設けられている。セグメント電極４６の下端部は、セグメント基板４２の下面の表示領域４５の下側（列方向の外側）に設けられたセグメント配線４７及び両基板４２、４３間の所定の箇所に設けられたトランスファ４８を介してコモン基板４３の突出部４３ａの上面の所定の箇所に設けられたセグメント端子４９に接続されている。
【００１４】
コモン基板４３の上面中央部の一点鎖線で囲まれた表示領域４５には複数のコモン電極５１が行方向に延びて設けられている。コモン電極５１の左端部は、コモン基板４３の上面の表示領域４５の左側（行方向の外側）に設けられたコモン配線５２を介して半導体チップ４４の出力側バンプ電極（図示せず）に接続されている。
【００１５】
一方、この液晶表示装置はセグメント用のフレキシブル配線基板（ＴＣＰ）５３及びコモン用のフレキシブル配線基板５４を備えている。セグメント用のフレキシブル配線基板５３の所定の箇所にはセグメント駆動用の半導体チップ５５が搭載されている。フレキシブル配線基板５３の下面の上側には出力側配線５６が設けられている。出力側配線５６の一端部は半導体チップ５５の出力側バンプ電極（図示せず）に接続されている。出力側配線５６の他端部からなる出力側接続端子５７は、液晶表示パネル４１の突出部４３ａ上のセグメント端子４９に異方導電性接着剤（図示せず）を介して接続されている。フレキシブル配線基板５３の下面の下側には入力側配線５７が設けられている。入力側配線５８の一端部は半導体チップ５５の入力側バンプ電極（図示せず）に接続されている。入力側配線５８の他端部からなる入力側接続端子５９は、図示しない回路基板に接続されるようになっている。
【００１６】
コモン用のフレキシブル配線基板５４の下面には配線６１が設けられている。配線６１の一端部からなる出力側接続端子６２は、液晶表示パネル４１の突出部４３ａの上面の左側の所定の箇所に設けられたコモン端子６３に異方導電性接着剤（図示せず）を介して接続されている。コモン端子６３は半導体チップ４４の入力側バンプ電極（図示せず）に接続されている。配線６１の他端部からなる入力側接続端子６４は上記回路基板に接続されるようになっている。
【００１７】
ところで、この液晶表示装置では、コモン基板４３の下辺部をセグメント基板４２の下辺から突出させ、該突出部４３ａ上にセグメント端子４９を設け、該セグメント端子４９をセグメント基板４２の下面に設けたセグメント配線４７にトランスファ４８を介して接続しているので、セグメント配線４７のトランスファ４８の近傍におけるピッチをトランスファ４８のピッチと同じで比較的大きくすることができ、ひいてはセグメント配線４７の列方向への配置領域を比較的小さくすることができる。
【００１８】
また、コモン基板４３の突出部４３ａ上にコモン駆動用の半導体チップ４４をコモン基板４３の上面に設けたコモン配線５２及びコモン端子６３に接続させて搭載しており、図３に示すようなトランスファ１１を用いていないので、コモン配線５２のピッチを無理に大きくする必要はなく、コモン配線５２の配置領域の行方向の最大幅をコモン端子６３の配置領域の行方向の大きさとほぼ同じかそれに近い値とすることができ、ひいてはコモン配線５２の列方向への配置領域を比較的小さくすることができる。また、図３に示すようなコモン配線１２が不要となるので、突出部４３ａの突出長を図３に示す場合よりも小さくすることができる。以上のことから、液晶表示パネル４１の列方向のサイズを小さくすることができる。
【００１９】
なお、上記実施形態では、セグメント用のフレキシブル配線基板５３及びコモン用のフレキシブル配線基板５４を用いた場合について説明したが、これに限定されるものではない。例えば、図２に示すこの発明の他の実施形態のように、１つのほぼＴ字状のフレキシブル配線基板（ＣＯＦ(chip on film)）７１を用いるようにしてもよい。
【００２０】
すなわち、フレキシブル配線基板７１の下面の所定の箇所にはセグメント駆動用の半導体チップ７２が搭載されている。フレキシブル配線基板７１の下面の右上側には出力側のセグメント配線７３が設けられている。出力側のセグメント配線７３の一端部は半導体チップ７２の出力側バンプ電極（図示せず）に接続されている。出力側のセグメント配線７３の他端部からなる出力側接続端子７４は、液晶表示パネル４１の突出部４３ａ上のセグメント端子４９に異方導電性接着剤（図示せず）を介して接続されている。フレキシブル配線基板７１の下面の右下側には入力側ノセグメント配線７５が設けられている。入力側のセグメント配線７５の一端部は半導体チップ７２の入力側バンプ電極（図示せず）に接続されている。入力側のセグメント配線７５の他端部からなる入力側接続端子７６は、図示しない回路基板に接続されるようになっている。
【００２１】
フレキシブル配線基板７１の下面の左側にはコモン配線７７が設けられている。コモン配線７７の一端部からなる出力側接続端子７８は、液晶表示パネル４１の突出部４３ａ上のコモン端子６３に異方導電性接着剤（図示せず）を介して接続されている。コモン配線７７の他端部からなる入力側接続端子７９は上記回路基板に接続されるようになっている。この場合、コモン配線７７の他端部からなる入力側接続端子７９を入力側のセグメント配線７５の他端部からなる入力側接続端子７６と共に上記回路基板に接続することができ、この接続作業が簡単となる。
【００２２】
【発明の効果】
以上説明したように、この発明によれば、セグメント配線の列方向への配置領域を比較的小さくすることができ、またコモン配線の列方向への配置領域を比較的小さくすることができ、ひいては表示パネルの列方向のサイズを小さくすることができる。
【図面の簡単な説明】
【図１】この発明の一実施形態における液晶表示装置の要部の平面図。
【図２】この発明の他の実施形態における液晶表示装置の要部の平面図。
【図３】従来の液晶表示装置の一例の一部の平面図。
【図４】従来の液晶表示装置の他の例の一部の平面図。
【符号の説明】
４１  液晶表示パネル
４２  セグメント基板
４３  コモン基板
４３ａ  突出部
４４  半導体チップ
４５  表示領域
４６  セグメント電極
４７  セグメント配線
４８  トランスファ
４９  セグメント端子
５１  コモン電極
５２  コモン配線
５３、５４  フレキシブル配線基板
５５  半導体チップ
６３  コモン端子
【図１】
0003769979.tif 000002
【図２】
0003769979.tif 000003
【図３】
0003769979.tif 000004
【図４】
0003769979.tif 000005